(57)【要約】【課題】  上方の作業対象箇所に対して下方から各種の作業を行う際に、作業対象箇所の状況を目視により正確に確認することができる照明装置を提供する。【解決手段】  上方の作業対象箇所に対して、下方から各種の作業を行う際に用いられる照明装置１であって、前記作業対象箇所を照射可能なライトを有する照明器具３１と、該照明器具３１が先端に着脱可能に取り付けられるとともに、前記作業対象箇所の下方から操作して、前記照明器具３１のライト３６の照射角度の調整が可能な長尺の操作手段２とを備えている。  操作手段２は、長尺の操作ロッド１４と、該操作ロッド１４の先端に開閉自在に設けられる一対のアーム４、８と、両アーム４，８を開閉させる操作レバー２０とを備え、前記各アーム４、８の先端に前記照明器具３１が着脱可能に取り付けられる。【選択図】  図１
2012238426.tif 000002
【特許請求の範囲】
【請求項１】
上方の作業対象箇所に対して、下方から各種の作業を行う際に用いられる照明装置であって、
前記作業対象箇所を照射可能なライトを有する照明器具と、該照明器具が先端に着脱可能に取り付けられるとともに、前記作業対象箇所の下方から操作して、前記照明器具のライトの照射角度の調整が可能な長尺の操作手段とを備えていることを特徴とする照明装置。
【請求項２】
前記作業対象箇所は、間接活線作業における作業対象箇所であることを特徴とする請求項１に記載の照明装置。
【請求項３】
前記操作手段は、長尺の操作ロッドと、該操作ロッドの先端に開閉自在に設けられる一対のアームと、両アームを開閉させる操作レバーとを備え、
前記各アームの先端に前記照明器具が着脱可能に取り付けられることを特徴とする請求項１又は２に記載の照明装置。
【請求項４】
前記照明器具は、前記各アームの先端に取り付けられる取付部と、該取付部を前記各アームの先端に取り付けた状態に固定する固定手段と、前記取付部に取り付けられるとともに、取付角度の調整が可能な照明器具本体と、該照明器具本体に取り付けられるライトとを備えていることを特徴とする請求項３に記載の照明装置。
【請求項５】
前記固定手段は、前記取付部に設けられるとともに、先端が前記各アームの背面側に設けられた凹部内に嵌合可能な固定ピンと、該固定ピンを前記アームの背面方向に押圧するスプリングとを備えていることを特徴とする請求項４に記載の照明装置。
【請求項６】
前記照明器具本体は、前記取付部に対する取付角度の調整が可能に構成されていることを特徴とする請求項４又は５に記載の照明装置。
【発明の詳細な説明】
【技術分野】
【０００１】
本発明は、照明装置に関し、特に、夜間に、上方の作業対象箇所に対して下方から各種の作業を行う場合に有効な照明装置に関する。
【背景技術】
【０００２】
従来、夜間に間接活線作業を行う場合、作業対象箇所を地上からサーチライト等の照明器具で照らしたり、作業者のヘルメットに取り付けたヘッドライト等の照明器具で電柱から作業対象箇所を照らしたり、高所作業車のバケットに取り付けた照明器具で作業対象箇所を下方から照らしたりすることが行われている。
【０００３】
しかし、地上から照明器具で照らす方法では、照射角度によっては影になる部分多く発生する。また、ヘルメットに取り付けた照明器具で照らす方法では、照射角度を作業対象箇所に合わせるのが難しい。さらに、バケットに取り付けた照明器具で照らす方法では、照射角度によっては影になる部分が多く発生する。このため、これらの何れの方法でも、作業対象箇所の状況を目視によって正確に確認することが難しい。
【０００４】
作業対象箇所を照明器具で照らす方法の例が特許文献１、２に記載されている。特許文献１に記載の方法は、先端に開閉可能なカッターを有するレスキュー工具のハンドルに、レンズ、ランプ、レンズホルダ、ランプホルダからなる照明要素を一体に組み込んだものを用い、レスキュー工具のカッターを開閉させて対象物を切断する際に、照明要素のランプから対象物に向けて光を照射させるように構成したものである。
【０００５】
また、特許文献２に記載の方法は、クリップ本体と、クリップ本体のクリップ軸に揺動可能に取り付けられた横方向揺動アームと、横方向揺動アームの頂部に回転可能に取り付けられた回転部材と、回転部材に縦方向に揺動可能に取り付けられた縦方向揺動部材と、縦方向揺動部材に設けられたライトホルダーとを備えたライト取付ホルダーを用い、このライト取付ホルダーのクリップ本体を工具等に取り付け、ライトホルダーにライトを取り付け、工具等によって対象物に対して作業を行う際に、ライトから光を対象物に向けて照射させるように構成したものである。
【先行技術文献】
【特許文献】
【０００６】
【特許文献１】特表２００８−５４５２３５号公報
【特許文献２】特開平１０−２８３８０２号公報
【発明の概要】
【発明が解決しようとする課題】
【０００７】
しかし、特許文献１に記載の方法は、レスキュー工具のハンドルに照明要素を一体に組み込んでいるために、上方の作業対象箇所に対して下方から各種の作業を行う場合に、レスキュー工具の操作によって照明要素の照射角度を調整することができないため、作業対象箇所の状況を正確に確認することができない。また、特許文献２に記載の方法は、クリップ本体に対するライトホルダー（ライト）の取付角度を調整することはできるが、工具等にライト取付ホルダーを取り付けた状態では、工具の操作によってライドホルダーの取付角度（ライトの照射角度）を調整することはできない。このため、特許文献１、２の方法では、夜間に間接活線作業を行う場合等に、作業対象箇所の状況を正確に確認することができず、作業に手間がかかるとともに、作業者の安全を確保することができない。
【０００８】
本発明は、上記のような従来の問題に鑑みなされたものであって、夜間に、上方の作業対象箇所に対して下方から各種の作業を行う場合に、作業対象箇所の状況を正確に確認することができ、各種の作業を効率よく、かつ安全に行うことができる照明装置を提供することを目的とする。
【課題を解決するための手段】
【０００９】
上記のような課題を解決するために、本発明は、以下のような手段を採用している。
すなわち、本発明は、上方の作業対象箇所に対して、下方から各種の作業を行う際に用いられる照明装置であって、前記作業対象箇所を照射可能なライトを有する照明器具と、該照明器具が先端に着脱可能に取り付けられるとともに、前記作業対象箇所の下方から操作して、前記照明器具のライトの照射角度の調整が可能な長尺の操作手段とを備えていることを特徴とする。
【００１０】
本発明の照明装置によれば、作業対象箇所の下方から操作手段を操作することにより、操作手段の先端の照明器具の照射角度を調整することができる。従って、操作手段の操作によって照明器具の照射角度を調整することにより、照明器具で作業対象箇所を側方又は斜め上方から照らすことができるので、作業対象箇所の下方からでも、作業対象箇所の状況を目視によって正確に確認することができ、各種の作業を確実に、かつ安全に行うことができる。
【００１１】
また、本発明において、前記作業対象箇所は、間接活線作業における作業対象箇所であることとしてもよい。
【００１２】
本発明の照明装置によれば、夜間に間接活線作業を行う場合に、架線の下方から作業対象箇所の状況を正確に確認することができるので、各種の作業を効率良く、かつ安全に行うことができる。
【００１３】
さらに、本発明において、前記操作手段は、長尺の操作ロッドと、該操作ロッドの先端に開閉自在に設けられる一対のアームと、両アームを開閉させる操作レバーとを備え、前記各アームの先端に前記照明器具が着脱可能に取り付けられることとしてもよい。
【００１４】
本発明の照明装置によれば、長尺の操作ロッドの上下方向の位置を調整することにより、照明器具の上下方向の位置を調整できる。また、操作レバーを操作して、両アームを開閉させることにより、各アームの先端に取り付けられた照明器具の照射角度を調整することができる。
【００１５】
さらに、本発明において、前記照明器具は、前記各アームの先端に取り付けられる取付部と、該取付部を前記各アームの先端に取り付けた状態に固定する固定手段と、前記取付部に取り付けられるとともに、取付角度の調整が可能な照明器具本体と、該照明器具本体に取り付けられるライトとを備えていることとしてもよい。
【００１６】
本発明の照明装置によれば、アームの先端に取付部を取り付け、この取付部を固定手段でアームの先端に固定することにより、照明器具が各アームの先端に取り付けられる。従って、両アームを開閉させることにより、両アームに開閉に追従して照明器具を両アームの開閉方向に移動させることができる。
【００１７】
さらに、本発明において、前記固定手段は、前記取付部に設けられるとともに、先端が前記各アームの背面側に設けられた凹部内に嵌合可能な固定ピンと、該固定ピンを前記アームの背面方向に押圧するスプリングとを備えていることとしてもよい。
【００１８】
本発明の照明装置によれば、取付部を各アームの先端に取り付け、固定ピンの先端を各アームの背面側の凹部内に嵌合させ、この状態で固定ピンをスプリングによって各アームの背面方向に押圧することにより、照明器具が各アームの先端に固定されることになる。
【００１９】
さらに、本発明において、前記照明器具本体は、前記取付部に対する取付角度の調整が可能に構成されていることとしてもよい。
【００２０】
本発明の照明装置によれば、照明器具本体の取付部に対する取付角度を調整することにより、ライトの照射角度を調整することができる。
【発明の効果】
【００２１】
以上、説明したように、本発明の照明装置によれば、作業対象箇所に対して下方から各種の作業を行う場合に、作業対象箇所の下方から操作手段を操作することにより、操作手段の先端の照明器具で作業対象箇所を側方又は斜め上方から照らすことができる。従って、作業対象箇所に対して下方から各種の作業を行う場合に、作業対象箇所の下方からでも、作業対象箇所の状況を正確に目視によって確認することができるので、各種の作業を効率良く、かつ安全に行うことができる。
【図面の簡単な説明】
【００２２】
【図１】本発明の照明装置の一実施の形態の全体を示した平面図である。
【図２】図１の照明器具の拡大図である。
【図３】本発明による照明装置の使用例を示した説明図である。
【発明を実施するための形態】
【００２３】
以下、図面を参照しながら本発明の実施の形態について説明する。
図１〜図３には、本発明による照明装置の一実施の形態が示されている。本実施の形態の照明装置１は、例えば、夜間の間接活線作業に適用されるものであって、夜間の間接活線作業の際に作業箇所を照らすのに有効なものである。
【００２４】
すなわち、本実施の形態の照明装置１は、図１及び図２に示すように、照明器具３１と、照明器具３１が着脱可能に取り付けられる長尺の操作手段２とを備えている。操作手段２は、例えば、図１に示すように、開閉自在なアルミ合金製の一対のＣ形状のアーム（第１アーム４及び第２アーム８）からなる把持部３と、把持部３の両アーム４、８を開閉させる操作部１３とを備え、把持部３の第１アーム４又は第２アーム８に照明器具３１が着脱可能に取り付けられる。なお、本実施の形態においては、操作手段２として、間接活線作業に用いるホットスティックを用いている。
【００２５】
操作部１３は、絶縁材からなるパイプ状の操作ロッド１４と、操作ロッド１４に対して略平行に設けられる絶縁材からなるパイプ状の連結ロッド１７と、アルミ合金製のＬ形状の操作レバー２０とを備え、操作ロッド１４の先端に取付金具２２を介して把持部３の第１アーム４及び第２アーム８が取り付けられる。
【００２６】
取付金具２２は、操作ロッド１４の先端に取り付けられる基部２３と、基部２３の先端に一体に設けられるアーム取付部２４とから構成され、アーム取付部２４に第１アーム４の基端５が固定され、第１アーム４の基端５に第２アーム８の基端９が噛合され、この状態で第２アーム８の基端９が第１アーム４の基端５に連結ピン１２を介して回動自在に連結される。
【００２７】
第１アーム４の先端６及び第２アーム８の先端１０は、両アーム４、８を閉じたときに両アーム４、８の先端６、１０の内面同士が互いに接触するように直板状に形成され、この直板状に形成された第１アーム４又は第２アーム８の先端６、１０に照明器具３１が着脱可能に取り付けられる。
【００２８】
第１アーム４の先端６の背面側、及び第２アーム８の先端１０の背面側には、所定の深さ、直径の円形状の凹部７、１１がそれぞれ設けられ、この凹部７、１１に後述する固定手段３３の固定ピン３４の先端を嵌合させることにより、第１アーム４の先端６又は第２アーム８の先端１０に後述する照明器具３１を取り付けた状態に固定することができる。
【００２９】
第１アーム４は、図１に想像線で示すように、アーム取付部２４に対する取付角度が調整可能に構成され、第１アーム４のアーム取付部２４に対する取付角度を調整することにより、第１アーム４の操作ロッド１４の軸線に対する開き角度を調整することができる。
【００３０】
操作ロッド１４の基端１８側には、レバー取付部２６が設けられ、このレバー取付部２６に操作レバー２０が連結ピン２７を介して回動自在に連結され、連結ピン２７を中心として操作レバー２０を操作ロッド１４に接近又は離間する方向に回動させることができる。
【００３１】
連結ロッド１７は、先端が連結金具２８を介して第２アーム８の基端９近傍に回動自在に連結されるとともに、基端１８が連結ピン２７を介して操作レバー２０の先端２１に回動自在に連結されている。操作レバー２０を操作ロッド１４に接近又は離間する方向に回動させることにより、操作レバー２０に追従して連結ロッド１７を操作ロッド１４に沿う方向に移動させることができる。
【００３２】
連結金具２８は、連結ロッド１７の先端１９に固定される筒状の基部２９と、基部２９の先端に一体に設けられる角度調整部３０とを備え、角度調整部３０が連結ピン（図示せず）を介して第２アーム８の基端９近傍に回動自在に連結されている。角度調整部３０の第２アーム８に対する連結位置を調整することにより、第２アーム８の第１アーム４に対する開閉角度を調整できる。
【００３３】
照明器具３１は、図２に示すように、例えば、第１アーム４の先端６又は第２アーム８の先端１０に取り付けられるボックス状の取付部３２と、取付部３２を第１アーム４の先端６又は第２アーム８の先端１０に固定する固定手段３３と、取付部３２の外面側に取り付けられる照明器具本体３５と、照明器具本体３５に取り付けられるライト３６とから構成されている。
【００３４】
照明器具本体３５は、取付部３２に対する取付角度の調整が可能に構成され、照明器具本体３５の取付部３２に対する取付角度を調整することにより、照明器具本体３５に取り付けられるライト３６の照射角度を調整することができる。
【００３５】
なお、照明器具３１としては、第１アーム４の先端６又は第２アーム８の先端１０に着脱できるものであれば特に制限はなく、市販の各種のタイプの照明器具を用いることができる。
【００３６】
固定手段３３は、取付部３２の内外面を貫通するように設けられるとともに、先端が取付部３２の内面側に突出可能な固定ピン３４と、固定ピン３４を取付部３２の内面方向に付勢するスプリング（図示せず）とから構成されている。
【００３７】
固定ピン３４の頭部を手で掴み、固定ピン３４をスプリングの付勢力に抗して外方に引っ張り、この状態で取付部３２の内側に第１アーム４の先端６又は第２アーム８の先端１０を挿入させ、固定ピン３４の頭部から手を離すことにより、固定ピン３４がスプリングの付勢力によって取付部３２の内方に付勢され、固定ピン３４の先端が第１アーム４の先端６又は第２アーム８の先端１０の背面側の凹部７、１１内に嵌合され、取付部３２が第１アーム４の先端６又は第２アーム８の先端１０に固定される。
【００３８】
なお、固定手段３３は上記の構成のものに限らず、取付部３２を第１アーム４の先端６又は第２アーム８の先端１０に固定できるものであればよい。例えば、固定ピン３４の代わりに固定ねじを用い、第１アーム４の先端６の背面側及び第２アーム８の先端１０の背面側にねじ孔を設け、取付部３２を貫通させた固定ねじの先端を第１アーム４の先端６のねじ孔又は第２アーム８の先端１０のねじ孔に螺合させて締め付けるような手段であってもよい。
【００３９】
そして、上記のように構成した本実施の形態の照明装置１を用いて、例えば、夜間に間接活線作業を行うには、図３に示すように、例えば、二人の作業者が一組となり、両作業者が電柱４３を所定の高さまで登り、一方の作業者が照明装置１を手で持ち、他方の作業者が間接活線作業用のホットスティック４０を手で持ち、一方の作業者が照明装置１を操作して作業対象箇所４５を照らし、他方の作業者がホットスティック４０を操作して作業対象箇所４５に対して各種の作業を行う。
【００４０】
具体的には、一方の作業者が照明装置１を手で持ち、作業対象箇所４５の下方で照明装置１の操作ロッド１４を操作することにより、照明器具３１のライト３６の上下方向の位置を調整し、また、操作ロッド１４の傾きを調整することにより、或いは操作レバー２０を操作することにより、第１アーム４と第２アーム８との開閉角度を調整して、照明器具３１のライト３６の照射角度を調整し、照明器具３１のライト３６を例えば作業対象箇所４５の側方又は斜め上方に配置し、ライト３６で作業対象箇所４５を側方又は斜め方向から照らす。なお、照明器具３１の照明器具本体３５の取付部３２に対する取付位置を予め調整しておくことにより、照明器具３１のライト３６の照射角度を調整してもよい。
【００４１】
また、他方の作業者がホットスティック４０を手で持ち、第１アーム４の先端６及び第２アーム８の先端１０に取り付けた先端工具４１（鋏、ペンチ、カッター等）を操作し、作業対象箇所４５に対して各種の作業（例えば、架線４４に引っ掛かった物の除去等の作業）を行う。
【００４２】
上記のように構成した本実施の形態の照明装置１にあっては、夜間に各種の間接活線作業を行う場合に、作業対象箇所４５の下方から、照明装置１の操作ロッド１４、及び操作レバー２０を操作して、照明器具３１のライト３６の上下方向の位置、及び照射角度を調整することにより、作業対象箇所４５を例えば側方又は斜め上方から照らすことができる。
【００４３】
従って、地上から照明器具で作業対象箇所４５を照らしたり、作業者のヘルメットに取り付けた照明器具で電柱から作業対象箇所４５を照らしたり、高所作業車のバケットに取り付けた照明器具で作業対象箇所４５を照らしたりする場合のように、影となる部分が多く発生するようなことはなく、作業対象箇所４５の状況を正確に目視によって確認しながら、各種の作業を効率良く、安全に行うことができる。
【００４４】
なお、前記の説明においては、照明器具３１を第１アーム４、又第２アーム６に取り付けたが、照明器具３１を第１アーム４と第２アーム８の両方に取り付けてもよい。さらに、第１アーム４及び第２アーム６に取り付ける先端工具４１のアダプタ（図示せず）に照明器具３１を取り付けてもよい。
【００４５】
また、前記の説明においては、操作手段２として、間接活線作業用のホットスティックを用い、ホットスティックの第１アーム４又は第２アーム８に照明器具３１を取り付けたが、その他の各種の棒状のものに照明器具３１を取り付けてもよい。
【００４６】
さらに、前記の説明においては、本発明による照明装置１を夜間の間接活線作業に適用したが、夜間や暗所において、上方の作業対象箇所に対して各種の作業を行う場合に適用してもよいものであり、その場合にも同様の作用効果を奏する。
【符号の説明】
【００４７】
１  照明装置
２  操作手段
３  把持部
４  第１アーム
５  基端
６  先端
７  凹部
８  第２アーム
９  基端
１０  先端
１１  凹部
１２  連結ピン
１３  操作部
１４  操作ロッド
１５  基端
１６  先端
１７  連結ロッド
１８  基端
１９  先端
２０  操作レバー
２１  先端
２２  取付金具
２３  基部
２４  アーム取付部
２６  レバー取付部
２７  連結ピン
２８  連結金具
２９  基部
３０  角度調整部
３１  照明器具
３２  取付部
３３  固定手段
３４  固定ピン
３５  照明器具本体
３６  ライト
４０  ホットスティック
４１  先端工具
４３  電柱
４４  架線
４５  作業対象箇所
【図１】
2012238426.tif 000003
【図２】
2012238426.tif 000004
【図３】
2012238426.tif 000005